【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
マルチメディアコンテンツのビデオデータを読み出す方法であって、
前記マルチメディアコンテンツの第１の表現に対する切替点の第１の間隔と、前記マルチメディアコンテンツの第２の表現に対する切替点の第２の間隔とを決定することであって、前記第１の間隔が前記第２の間隔よりも短い、決定することと、
前記決定に基づいて、前記第２の表現中の切替点の間の再生時間に少なくとも等しい再生時間を有する前記第１の表現からのある量のビデオデータに対する、１つまたは複数のネットワーク要求を出すことと、
前記第１の表現からの前記量のビデオデータに対する前記要求を出した後で、前記第２の表現からビデオデータを読み出すこととを備える、方法。
【請求項２】
前記第１の表現からのビデオデータをバッファリングすることと、前記バッファリングされたビデオデータの期間に基づいて、前記第２の表現からビデオデータをいつ読み出すかを決定することとをさらに備える、請求項１に記載の方法。
【請求項３】
前記バッファリングされたビデオデータの前記期間に基づいて前記第２の表現からビデオデータを読み出すことが、前記第２の表現中の切替点の間の前記再生時間に概ね等しい前記第１の表現からのある期間のビデオデータをバッファリングした後で、前記第２の表現からデータを読み出すことを備える、請求項２に記載の方法。
【請求項４】
ネットワーク帯域幅の現在利用可能な量を決定することと、
前記第１の表現および前記第２の表現が共通のビットレートを有することを示す、前記マルチメディアコンテンツに対するマニフェストを受信することと、
前記共通のビットレートがネットワーク帯域幅の前記現在利用可能な量によって満たされ得ると判定した後で、前記第１の表現と前記第２の表現とを選択することとをさらに備える、請求項１に記載の方法。
【請求項５】
ネットワーク帯域幅の現在利用可能な量を決定することと、
前記第１の表現が第１のビットレートを有し、前記第２の表現が前記第１のビットレートよりも高い第２のビットレートを有することを示す、前記マルチメディアコンテンツに対するマニフェストを受信することと、
前記第２のビットレートがネットワーク帯域幅の前記現在利用可能な量によって満たされ得るかどうかを判定することとをさらに備え、
前記第１の表現からの前記ビデオデータを要求することが、前記第２のビットレートがネットワーク帯域幅の前記現在利用可能な量によって満たされ得ると判定した後で、前記第１の表現からの前記ビデオデータを要求することを備え、
前記第１の表現からの前記ビデオデータを要求した後で前記第２の表現から前記ビデオデータを読み出すことが、前記第２のビットレートがネットワーク帯域幅の前記現在利用可能な量によって満たされ得ると判定した後で、前記第２の表現から前記ビデオデータを読み出すことを備える、請求項１に記載の方法。
【請求項６】
前記第１の表現からの前記ビデオデータを要求することが、
前記第１の表現からの前記ビデオデータに対する１つまたは複数の要求をサーバデバイスに送信することと、
ユニキャストを介して前記第１の表現からの前記ビデオデータを受信することとを備え、
前記第２の表現から前記ビデオデータを読み出すことが、前記サーバデバイスから、マルチキャストまたはブロードキャストの少なくとも１つを介して、前記ビデオデータを読み出すことを備える、請求項１に記載の方法。
【請求項７】
前記マルチメディアコンテンツに対するマニフェストファイルを受信することをさらに備え、前記第１の間隔を決定することが、前記マニフェストファイル中の情報から前記第１の間隔を決定することを備え、前記第２の間隔を決定することが、前記マニフェストファイル中の情報から前記第２の間隔を決定することを備える、請求項１に記載の方法。
【請求項８】
前記第１の表現および前記第２の表現が共通のビットレートを有し、前記方法が、
前記第１の間隔と前記第２の間隔とを決定する前に、前記共通のビットレートとは異なるビットレートを有する第３の異なる表現からビデオデータを読み出すことと、
ネットワーク帯域幅の現在利用可能な量を決定することと、
前記第１の表現および前記第２の表現の前記共通のビットレートがネットワーク帯域幅の前記現在利用可能な量に対してより適切であるという判定に基づいて、前記第１の間隔と前記第２の間隔とを決定し、前記第１の表現からの前記ビデオデータに対する前記１つまたは複数のネットワーク要求を出し、前記第２の表現から前記ビデオデータを読み出すこととを備える、請求項１に記載の方法。
【請求項９】
１つまたは複数のプロセッサを備える、マルチメディアコンテンツのビデオデータを読み出すための装置であって、前記プロセッサが、
前記マルチメディアコンテンツの第１の表現に対する切替点の第１の間隔と、前記マルチメディアコンテンツの第２の表現に対する切替点の第２の間隔とを決定することであって、前記第１の間隔が前記第２の間隔よりも短い、決定することと、
前記決定に基づいて、前記第２の表現中の切替点の間の再生時間に少なくとも等しい再生時間を有する前記第１の表現からのある量のビデオデータに対する、１つまたは複数のネットワーク要求を出すことと、
前記第１の表現からの前記量のビデオデータに対する前記要求を出した後で、前記第２の表現からビデオデータを読み出すこととを行うように構成される、装置。
【請求項１０】
前記１つまたは複数のプロセッサがさらに、前記第１の表現からのビデオデータをバッファリングし、前記バッファリングされたビデオデータの期間に基づいて、前記第２の表現からビデオデータをいつ読み出すかを決定するように構成される、請求項９に記載の装置。
【請求項１１】
前記バッファリングされたビデオデータの前記期間に基づいて前記第２の表現からビデオデータを読み出すために、前記１つまたは複数のプロセッサが、前記第２の表現中の切替点の間の前記再生時間に概ね等しい前記第１の表現からのある期間のビデオデータをバッファリングした後で、前記第２の表現からデータを読み出すように構成される、請求項１０に記載の装置。
【請求項１２】
前記１つまたは複数のプロセッサがさらに、
ネットワーク帯域幅の現在利用可能な量を決定し、
前記第１の表現および前記第２の表現が共通のビットレートを有することを示す、前記マルチメディアコンテンツに対するマニフェストを受信し、
前記共通のビットレートがネットワーク帯域幅の前記現在利用可能な量によって満たされ得ると判定した後で、前記第１の表現と前記第２の表現とを選択するように構成される、請求項９に記載の装置。
【請求項１３】
前記１つまたは複数のプロセッサがさらに、
ネットワーク帯域幅の現在利用可能な量を決定し、
前記第１の表現が第１のビットレートを有し、前記第２の表現が前記第１のビットレートよりも高い第２のビットレートを有することを示す、前記マルチメディアコンテンツに対するマニフェストを受信し、
前記第２のビットレートがネットワーク帯域幅の前記現在利用可能な量によって満たされ得るかどうかを判定するように構成され、
前記第１の表現からの前記ビデオデータを要求するために、前記１つまたは複数のプロセッサが、前記第２のビットレートがネットワーク帯域幅の前記現在利用可能な量によって満たされ得ると判定した後で、前記第１の表現からの前記ビデオデータを要求するように構成され、
前記第１の表現からの前記ビデオデータを要求した後で前記第２の表現から前記ビデオデータを読み出すために、前記１つまたは複数のプロセッサが、前記第２のビットレートがネットワーク帯域幅の前記現在利用可能な量によって満たされ得ると判定した後で、前記第２の表現から前記ビデオデータを読み出すように構成される、請求項９に記載の装置。
【請求項１４】
前記第１の表現からの前記ビデオデータを要求するために、前記１つまたは複数のプロセッサが、
前記第１の表現からの前記ビデオデータに対する１つまたは複数の要求をサーバデバイスに送信し、
ユニキャストを介して前記第１の表現からの前記ビデオデータを受信するように構成され、
前記第２の表現から前記ビデオデータを読み出すために、前記１つまたは複数のプロセッサが、前記サーバデバイスから、マルチキャストまたはブロードキャストの少なくとも１つを介して、前記ビデオデータを読み出すように構成される、請求項９に記載の装置。
【請求項１５】
前記１つまたは複数のプロセッサが、前記マルチメディアコンテンツに対するマニフェストファイルを受信するように構成され、前記第１の間隔を決定するために、前記１つまたは複数のプロセッサが、前記マニフェストファイル中の情報から前記第１の間隔を決定するように構成され、前記第２の間隔を決定するために、前記１つまたは複数のプロセッサが、前記マニフェストファイル中の情報から前記第２の間隔を決定するように構成される、請求項９に記載の装置。
【請求項１６】
前記第１の表現および前記第２の表現が共通のビットレートを有し、前記１つまたは複数のプロセッサがさらに、
前記第１の間隔と前記第２の間隔とを決定する前に、前記共通のビットレートとは異なるビットレートを有する第３の異なる表現からビデオデータを読み出し、
ネットワーク帯域幅の現在利用可能な量を決定し、
前記第１の表現および前記第２の表現の前記共通のビットレートがネットワーク帯域幅の前記現在利用可能な量に対してより適切であるという判定に基づいて、前記第１の間隔と前記第２の間隔とを決定し、前記第１の表現からの前記ビデオデータに対する前記１つまたは複数のネットワーク要求を出し、前記第２の表現から前記ビデオデータを読み出すように構成される、請求項９に記載の装置。
【請求項１７】
マルチメディアコンテンツのビデオデータを読み出すための装置であって、
前記マルチメディアコンテンツの第１の表現に対する切替点の第１の間隔と、前記マルチメディアコンテンツの第２の表現に対する切替点の第２の間隔とを決定するための手段であって、前記第１の間隔が前記第２の間隔よりも短い、手段と、
前記決定に基づいて、前記第２の表現中の切替点の間の再生時間に少なくとも等しい再生時間を有する前記第１の表現からのある量のビデオデータに対する、１つまたは複数のネットワーク要求を出すための手段と、
前記第１の表現からの前記量のビデオデータに対する前記要求を出した後で、前記第２の表現からビデオデータを読み出すための手段とを備える、装置。
【請求項１８】
前記第１の表現からのビデオデータをバッファリングするための手段と、前記バッファリングされたビデオデータの期間に基づいて、前記第２の表現からビデオデータをいつ読み出すかを決定するための手段とをさらに備える、請求項１７に記載の装置。
【請求項１９】
前記バッファリングされたビデオデータの前記期間に基づいて前記第２の表現からビデオデータを読み出すための手段が、前記第２の表現中の切替点の間の前記再生時間に概ね等しい前記第１の表現からのある期間のビデオデータをバッファリングした後で、前記第２の表現からデータを読み出すための手段を備える、請求項１８に記載の装置。
【請求項２０】
ネットワーク帯域幅の現在利用可能な量を決定するための手段と、
前記第１の表現および前記第２の表現が共通のビットレートを有することを示す、前記マルチメディアコンテンツに対するマニフェストを受信するための手段と、
前記共通のビットレートがネットワーク帯域幅の前記現在利用可能な量によって満たされ得ると判定した後で、前記第１の表現と前記第２の表現とを選択するための手段とをさらに備える、請求項１７に記載の装置。
【請求項２１】
ネットワーク帯域幅の現在利用可能な量を決定するための手段と、
前記第１の表現が第１のビットレートを有し、前記第２の表現が前記第１のビットレートよりも高い第２のビットレートを有することを示す、前記マルチメディアコンテンツに対するマニフェストを受信するための手段と、
前記第２のビットレートがネットワーク帯域幅の前記現在利用可能な量によって満たされ得るかどうかを判定するための手段とをさらに備え、
前記第１の表現からの前記ビデオデータを要求するための手段が、前記第２のビットレートがネットワーク帯域幅の前記現在利用可能な量によって満たされ得ると判定した後で、前記第１の表現からの前記ビデオデータを要求するための手段を備え、
前記第１の表現からの前記ビデオデータを要求した後で前記第２の表現からの前記ビデオデータを読み出すための手段が、前記第２のビットレートがネットワーク帯域幅の前記現在利用可能な量によって満たされ得ると判定した後で、前記第２の表現から前記ビデオデータを読み出すための手段を備える、請求項１７に記載の装置。
【請求項２２】
前記第１の表現からの前記ビデオデータを要求するための手段が、
前記第１の表現からの前記ビデオデータに対する１つまたは複数の要求をサーバデバイスに送信するための手段と、
ユニキャストを介して前記第１の表現からの前記ビデオデータを受信するための手段とを備え、
前記第２の表現から前記ビデオデータを読み出すための手段が、前記サーバデバイスから、マルチキャストまたはブロードキャストの少なくとも１つを介して、前記ビデオデータを読み出すための手段を備える、請求項１７に記載の装置。
【請求項２３】
前記マルチメディアコンテンツに対するマニフェストファイルを受信するための手段をさらに備え、前記第１の間隔を決定するための手段が、前記マニフェストファイル中の情報から前記第１の間隔を決定するための手段を備え、前記第２の間隔を決定するための手段が、前記マニフェストファイル中の情報から前記第２の間隔を決定するための手段を備える、請求項１７に記載の装置。
【請求項２４】
前記第１の表現および前記第２の表現が共通のビットレートを有し、前記装置が、
前記第１の間隔と前記第２の間隔とを決定する前に、前記共通のビットレートとは異なるビットレートを有する第３の異なる表現からビデオデータを読み出すための手段と、
ネットワーク帯域幅の現在利用可能な量を決定するための手段と、
前記第１の表現および前記第２の表現の前記共通のビットレートがネットワーク帯域幅の前記現在利用可能な量に対してより適切であるという判定に基づいて、前記第１の間隔と前記第２の間隔とを決定するための手段と、前記第１の表現からの前記ビデオデータに対する前記１つまたは複数のネットワーク要求を出すための手段と、前記第２の表現から前記ビデオデータを読み出すこととを備える、請求項１７に記載の装置。
【請求項２５】
命令を記憶する非一時的コンピュータ可読記憶媒体であって、前記命令が、実行されると、１つまたは複数のプロセッサに、
前記マルチメディアコンテンツの第１の表現に対する切替点の第１の間隔と、前記マルチメディアコンテンツの第２の表現に対する切替点の第２の間隔とを決定することであって、前記第１の間隔が前記第２の間隔よりも短い、決定することと、
前記決定に基づいて、前記第２の表現中の切替点の間の再生時間に少なくとも等しい再生時間を有する前記第１の表現からのある量のビデオデータに対する、１つまたは複数のネットワーク要求を出すことと、
前記第１の表現からの前記量のビデオデータに対する前記要求を出した後で、前記第２の表現からビデオデータを読み出すこととを行わせる、非一時的コンピュータ可読記憶媒体。
【請求項２６】
前記命令が、前記１つまたは複数のプロセッサに、前記第１の表現からのビデオデータをバッファリングさせ、前記バッファリングされたビデオデータの期間に基づいて、前記第２の表現からビデオデータをいつ読み出すかを決定させる、請求項２５に記載のコンピュータ可読記憶媒体。
【請求項２７】
前記バッファリングされたビデオデータの前記期間に基づいて前記第２の表現からビデオデータを読み出すために、前記命令が、前記１つまたは複数のプロセッサに、前記第２の表現中の切替点の間の前記再生時間に概ね等しい前記第１の表現からのある期間のビデオデータをバッファリングした後で、前記第２の表現からデータを読み出させる、請求項２６に記載のコンピュータ可読記憶媒体。
【請求項２８】
前記命令が、前記１つまたは複数のプロセッサに、
ネットワーク帯域幅の現在利用可能な量を決定させ、
前記第１の表現および前記第２の表現が共通のビットレートを有することを示す、前記マルチメディアコンテンツに対するマニフェストを受信させ、
前記共通のビットレートがネットワーク帯域幅の前記現在利用可能な量によって満たされ得ると判定した後で、前記第１の表現と前記第２の表現とを選択させる、請求項２５に記載のコンピュータ可読記憶媒体。
【請求項２９】
前記１つまたは複数のプロセッサがさらに、
ネットワーク帯域幅の現在利用可能な量を決定し、
前記第１の表現が第１のビットレートを有し、前記第２の表現が前記第１のビットレートよりも高い第２のビットレートを有することを示す、前記マルチメディアコンテンツに対するマニフェストを受信し、
前記第２のビットレートがネットワーク帯域幅の前記現在利用可能な量によって満たされ得るかどうかを判定するように構成され、
前記第１の表現からの前記ビデオデータを要求するために、前記命令が、前記１つまたは複数のプロセッサに、前記第２のビットレートがネットワーク帯域幅の前記現在利用可能な量によって満たされ得ると判定した後で、前記第１の表現からの前記ビデオデータを要求させ、
前記第１の表現からの前記ビデオデータを要求した後で前記第２の表現から前記ビデオデータを読み出すために、前記命令が、前記１つまたは複数のプロセッサに、前記第２のビットレートがネットワーク帯域幅の前記現在利用可能な量によって満たされ得ると判定した後で、前記第２の表現から前記ビデオデータを読み出させる、請求項２５に記載のコンピュータ可読記憶媒体。
【請求項３０】
前記第１の表現からの前記ビデオデータを要求するために、前記命令が、前記１つまたは複数のプロセッサに、
前記第１の表現からの前記ビデオデータに対する１つまたは複数の要求をサーバデバイスへ送信させ、
ユニキャストを介して前記第１の表現からの前記ビデオデータを受信させ、
前記第２の表現から前記ビデオデータを読み出すために、前記命令が、前記１つまたは複数のプロセッサに、前記サーバデバイスから、マルチキャストまたはブロードキャストの少なくとも１つを介して、前記ビデオデータを読み出させる、請求項２５に記載のコンピュータ可読記憶媒体。
【請求項３１】
前記命令が、前記１つまたは複数のプロセッサに、前記マルチメディアコンテンツに対するマニフェストファイルを受信させ、前記第１の間隔を決定するために、前記命令が、前記１つまたは複数のプロセッサに、前記マニフェストファイル中の情報から前記第１の間隔を決定させ、前記第２の間隔を決定するために、前記命令が、前記１つまたは複数のプロセッサに、前記マニフェストファイル中の情報から前記第２の間隔を決定させる、請求項２５に記載のコンピュータ可読記憶媒体。
【請求項３２】
前記第１の表現および前記第２の表現が共通のビットレートを有し、前記命令がさらに、前記１つまたは複数のプロセッサに、
前記第１の間隔と前記第２の間隔とを決定する前に、前記共通のビットレートとは異なるビットレートを有する第３の異なる表現からビデオデータを読み出させ、
ネットワーク帯域幅の現在利用可能な量を決定させ、
前記第１の表現および前記第２の表現の前記共通のビットレートがネットワーク帯域幅の前記現在利用可能な量に対してより適切であるという判定に基づいて、前記第１の間隔と前記第２の間隔とを決定させ、前記第１の表現からの前記ビデオデータに対する前記１つまたは複数のネットワーク要求を出させ、前記第２の表現から前記ビデオデータを読み出させる、請求項２５に記載のコンピュータ可読記憶媒体。
【請求項３３】
マルチメディアコンテンツのビデオデータをストリーミングする方法であって、
前記マルチメディアコンテンツの複数の表現を受信することであって、前記表現が、前記それぞれの表現の切替点の間隔を表す切替点間隔情報を含む、受信することと、
前記クライアントデバイスからの要求に応答して、前記表現のうちの第１の表現のビデオデータをクライアントデバイスに送信することと、
前記表現のうちの第２の異なる表現中の切替点の間の再生時間に少なくとも等しい再生時間を有する前記第１の表現からのある量のビデオデータを送信した後で、前記表現のうちの前記第２の表現のビデオデータを前記クライアントデバイスに送信することであって、前記表現のうちの前記第２の表現の切替点の前記間隔が、前記表現のうちの前記第１の表現の切替点の前記間隔より短い、送信することとを備える、方法。
【請求項３４】
前記複数の表現を形成することが、
前記表現のうちの前記第１の表現の切替点の前記間隔で切替点を含むように、前記表現のうちの前記第１の表現を形成することと、
前記第２の表現の前記切替点の各々が前記第１の表現の前記切替点の１つの時間的位置に対応する時間的位置で発生するように、前記表現のうちの前記第２の表現の切替点の前記間隔で切替点を含むように、前記表現のうちの前記第２の表現を形成することとを備える、請求項３３に記載の方法。
【請求項３５】
前記表現のうちの前記第２の表現の前記切替点が、前記表現のうちの前記第１の表現の前記切替点のサブセットを備える、請求項３４に記載の方法。
【請求項３６】
前記表現のうちの前記第１の表現の前記ビデオデータを送信することが、ユニキャストを介して前記表現のうちの前記第１の表現の前記ビデオデータを送信することを備え、
前記表現のうちの前記第２の表現の前記ビデオデータを送信することが、ブロードキャストを介して前記表現のうちの前記第２の表現の前記ビデオデータを送信することを備える、請求項３３に記載の方法。
【請求項３７】
前記表現切替点間隔情報を割り当てることが、前記マルチメディアコンテンツに対するマニフェストファイル中で前記切替点間隔情報を提供することを備える、請求項３３に記載の方法。
【請求項３８】
１つまたは複数のプロセッサを備える、マルチメディアコンテンツのビデオデータをストリーミングするための装置であって、前記プロセッサが、
前記マルチメディアコンテンツの複数の表現を受信することであって、前記表現が、前記それぞれの表現の切替点の間隔を表す切替点間隔情報を含む、受信することと、
前記クライアントデバイスからの要求に応答して、前記表現のうちの第１の表現のビデオデータをクライアントデバイスに送信することと、
前記表現のうちの第２の異なる表現中の切替点の間の再生時間に少なくとも等しい再生時間を有する前記第１の表現からのある量のビデオデータを送信した後で、前記表現のうちの前記第２の表現のビデオデータを前記クライアントデバイスに送信することであって、前記表現のうちの前記第２の表現の切替点の前記間隔が、前記表現のうちの前記第１の表現の切替点の前記間隔より短い、送信することとを行うように構成される、装置。
【請求項３９】
前記複数の表現を形成するために、前記１つまたは複数のプロセッサが、
前記表現のうちの前記第１の表現の切替点の前記間隔で切替点を含むように、前記表現のうちの前記第１の表現を形成し、
前記第２の表現の前記切替点の各々が前記第１の表現の１つの前記切替点の時間的位置に対応する時間的位置で発生するように、前記表現のうちの前記第２の表現の切替点の前記間隔で切替点を含むように、前記表現のうちの前記第２の表現を形成するように構成される、請求項３８に記載の装置。
【請求項４０】
前記表現のうちの前記第２の表現の前記切替点が、前記表現のうちの前記第１の表現の前記切替点のサブセットを備える、請求項３９に記載の装置。
【請求項４１】
前記表現のうちの前記第１の表現の前記ビデオデータを送信するために、前記１つまたは複数のプロセッサが、ユニキャストを介して前記表現のうちの前記第１の表現の前記ビデオデータを送信するように構成され、
前記表現のうちの前記第２の表現の前記ビデオデータを送信するために、前記１つまたは複数のプロセッサが、ブロードキャストを介して前記表現のうちの前記第２の表現の前記ビデオデータを送信するように構成される、請求項３８に記載の装置。
【請求項４２】
表現切替点間隔情報を割り当てるために、前記１つまたは複数のプロセッサが、前記マルチメディアコンテンツに対するマニフェストファイル中で前記切替点間隔情報を提供するように構成される、請求項３８に記載の装置。
【請求項４３】
マルチメディアコンテンツのビデオデータをストリーミングするための装置であって、
前記マルチメディアコンテンツの複数の表現を受信するための手段であって、前記表現が、前記それぞれの表現の切替点の間隔を表す切替点間隔情報を含む、手段と、
前記クライアントデバイスからの要求に応答して、前記表現のうちの第１の表現のビデオデータをクライアントデバイスに送信するための手段と、
前記表現のうちの第２の異なる表現中の切替点の間の再生時間に少なくとも等しい再生時間を有する前記第１の表現からのある量のビデオデータを送信した後で、前記表現のうちの前記第２の表現のビデオデータを前記クライアントデバイスに送信するための手段であって、前記表現のうちの前記第２の表現の切替点の前記間隔が、前記表現のうちの前記第１の表現の切替点の前記間隔より短い、手段とを備える、装置。
【請求項４４】
前記複数の表現を形成するための手段が、
前記表現のうちの前記第１の表現の切替点の前記間隔で切替点を含むように、前記表現のうちの前記第１の表現を形成するための手段と、
前記第２の表現の前記切替点の各々が前記第１の表現の前記切替点の１つの時間的位置に対応する時間的位置で発生するように、前記表現のうちの前記第２の表現の切替点の前記間隔で切替点を含むように、前記表現のうちの前記第２の表現を形成するための手段とを備える、請求項４３に記載の装置。
【請求項４５】
前記表現のうちの前記第２の表現の前記切替点が、前記表現のうちの前記第１の表現の前記切替点のサブセットを備える、請求項４４に記載の装置。
【請求項４６】
前記表現のうちの前記第１の表現の前記ビデオデータを送信するための手段が、ユニキャストを介して前記表現のうちの前記第１の表現の前記ビデオデータを送信するための手段を備え、
前記表現のうちの前記第２の表現の前記ビデオデータを送信するための手段が、ブロードキャストを介して前記表現のうちの前記第２の表現の前記ビデオデータを送信するための手段を備える、請求項４３に記載の装置。
【請求項４７】
表現切替点間隔情報を割り当てるための手段が、前記マルチメディアコンテンツに対するマニフェストファイル中で前記切替点間隔情報を提供するための手段を備える、請求項４３に記載の装置。
【請求項４８】
命令を記憶する非一時的コンピュータ可読記憶媒体であって、前記命令が、実行されると、１つまたは複数のプロセッサに、
前記マルチメディアコンテンツの複数の表現を受信することであって、前記表現が、前記それぞれの表現の切替点の間隔を表す切替点間隔情報を含む、受信することと、
前記クライアントデバイスからの要求に応答して、前記表現のうちの第１の表現のビデオデータをクライアントデバイスへ送信することと、
前記表現のうちの第２の異なる表現中の切替点の間の再生時間に少なくとも等しい再生時間を有する前記第１の表現からのある量のビデオデータを送信した後で、前記表現のうちの前記第２の表現のビデオデータを前記クライアントデバイスへ送信することであって、前記表現のうちの前記第２の表現の切替点の前記間隔が、前記表現のうちの前記第１の表現の切替点の前記間隔より短い、送信することとを行わせる、非一時的コンピュータ可読記憶媒体。
【請求項４９】
前記複数の表現を形成するために、前記命令が、前記１つまたは複数のプロセッサに、
前記表現のうちの前記第１の表現の切替点の前記間隔で切替点を含むように、前記表現のうちの前記第１の表現を形成させ、
前記第２の表現の前記切替点の各々が前記第１の表現の前記切替点の１つの時間的位置に対応する時間的位置で発生するように、前記表現のうちの前記第２の表現の切替点の前記間隔で切替点を含むように、前記表現のうちの前記第２の表現を形成させる、請求項４８に記載のコンピュータ可読記憶媒体。
【請求項５０】
前記表現のうちの前記第２の表現の前記切替点が、前記表現のうちの前記第１の表現の前記切替点のサブセットを備える、請求項４９に記載のコンピュータ可読記憶媒体。
【請求項５１】
前記表現のうちの前記第１の表現の前記ビデオデータを送信するために、前記命令が、前記１つまたは複数のプロセッサに、ユニキャストを介して前記表現のうちの前記第１の表現の前記ビデオデータを送信させ、
前記表現のうちの前記第２の表現の前記ビデオデータを送信するために、前記命令が、前記１つまたは複数のプロセッサに、ブロードキャストを介して前記表現のうちの前記第２の表現の前記ビデオデータを送信させる、請求項４８に記載のコンピュータ可読記憶媒体。
【請求項５２】
表現切替点間隔情報を割り当てるために、前記命令が、前記１つまたは複数のプロセッサに、前記マルチメディアコンテンツに対するマニフェストファイル中で前記切替点間隔情報を提供させる、請求項４８に記載のコンピュータ可読記憶媒体。